(57)【特許請求の範囲】
【請求項１】
収納キャビネットと、この収納キャビネットに設けた収納ラックと、前記収納ラックを円弧状の回転軌跡をえがくように昇降させるためのアームを有する昇降支持装置と、前記収納キャビネットに設けた扉体と、前記収納ラックの降下動作に連動して、前記扉体を上方に開放する開放手段とを備え、上記開放手段は、一端が収納ラック側に軸支され、他端が収納ラックの所定降下位置までは扉体の内面に移動自在かつ接離自在に当接して前記収納ラックの降下動作に連係してその扉体を押し開く開放レバーを具備し、さらに前記扉体には、前記収納ラックの所定降下位置から最大降下位置までの間、前記開放レバーの他端を回転自在でかつ扉体から離脱しないように拘束する拘束手段を設けた昇降式収納装置。
【請求項２】
扉体の内面と対応する開放レバーの他端に開放ローラを設けた請求項１記載の昇降式収納装置。
【請求項３】
アームは、略Ｓの字形アームと略くの字形アームにより構成した請求項１記載の昇降式収納装置。
【発明の詳細な説明】
【０００１】
【発明の属する技術分野】
本発明は、厨房等で使用する昇降式収納装置に関し、特に収納ラックの昇降動作に連動する扉体に関するものである。
【０００２】
【従来の技術】
従来この種の昇降式収納装置は、特開平１０−２８６１３１号公報に記載されているようなものがある。この装置は図５，図６に示されているように、キャビネット１の前方に木製の扉体２を、また内部にラック体３を昇降自在に支持する一対の平行リンク４を有する昇降支持装置５を配し、ラック体３の前方下部に設けた化粧パネル６に配した昇降操作用の把手７を持って、ラック体３を円弧状に昇降するとともに、この昇降に連動して扉体２を開閉するようになっていた。
【０００３】
そして昇降に連動して扉体２を開閉する機構として、図５における昇降式収納装置では、扉体２裏面に設けたレール８と、前記レール８に摺動自在に係合するとともにラック体３に回動自在に設けたスライダー９とが設けられていた。
【０００４】
また、図６における昇降式収納装置の連動機構として、扉体２裏面に設けられたレール８と、前記レール８を摺動するスライダー９がラック体３に設けられていた。
【０００５】
【発明が解決しようとする課題】
しかしながら、図５における上記従来の昇降式収納装置では、ラック体３の格納状態において、扉体２の裏に固定したレール８と、このレール８に摺動自在に係合したスライダー９が連結しているので、扉体２を単独で開けることができず、ラック体３内の収納物を確認するためには、その都度、ラック体３の降下作業が必要という課題を有していた。
【０００６】
また、図６における昇降式収納装置では、ラック体３の格納状態において、レール８とスライダー９が係合していないので、扉体２を単独に開けて収納物を確認することができるが、扉体２の裏に固定したレール８とスライダー９の当接範囲でラック体３の降下ストロークが決まり、降下ストロークが大きくとれないという課題を有していた。
【０００７】
また、両構成とも、ラック体３を昇降する昇降支持装置５が有しているアームは、平行リンク４なので、ラック体３の昇降ストロークが平行リンク４の回動角度そのもので決まることになり、降下ストロークが小さくラック体３への収納物の出し入れ作業がやりにくいという課題を有していた。
【０００８】
【課題を解決するための手段】
本発明は上記課題を解決するために、収納キャビネットと、この収納キャビネットに設けた収納ラックと、前記収納ラックを円弧状の回転軌跡をえがくように昇降させるためのアームを有する昇降支持装置と、前記収納キャビネットに設けた扉体と、前記収納ラックの降下動作に連動して、前記扉体を上方に開放する開放手段とを備え、上記開放手段は、一端が収納ラック側に軸支され、他端が収納ラックの所定降下位置までは扉体の内面に移動自在かつ接離自在に当接して前記収納ラックの降下動作に連係してその扉体を押し開く開放レバーを具備し、さらに前記扉体には、前記収納ラックの所定降下位置から最大降下位置までの間、前記開放レバーの他端を回転自在でかつ扉体から離脱しないように拘束する拘束手段を設けたものである。
【０００９】
上記発明によれば、収納ラックの降下動作に連動して、開放手段が扉体を開放するため、収納ラックの降下作業を１回の動作で行うことができるとともに、収納ラックの格納状態において、扉体は単独で開閉することができ、また扉体と開放手段の当接範囲以上の降下ストロークを得ることができる。
【００１０】
【発明の実施の形態】
本発明の昇降式収納装置は、前記収納ラックを円弧状の回転軌跡をえがくように昇降させるためのアームを有する昇降支持装置と、前記収納キャビネットに設けた扉体と、前記収納ラックの降下動作に連動して、前記扉体を上方に開放する開放手段とを備え、上記開放手段は、一端が収納ラック側に軸支され、他端が収納ラックの所定降下位置までは扉体の内面に移動自在かつ接離自在に当接して前記収納ラックの降下動作に連係してその扉体を押し開く開放レバーを具備し、さらに前記扉体には、前記収納ラックの所定降下位置から最大降下位置までの間、前記開放レバーの他端を回転自在でかつ扉体から離脱しないように拘束する拘束手段を設けたものである。
【００１１】
そして収納ラックの降下動作に連動して、開放手段が扉体を開放するため、収納ラックの降下作業を１回の動作で行うことができるとともに、所定降下位置において始めて開放手段を拘束するため、収納ラックの格納状態においては、扉体は単独で開閉することができ、また開放手段の拘束後は、開放手段が回動するため、扉体と開放手段の当接範囲以上の降下ストロークを得ることができる。
【００１２】
扉体の内面と対応する開放レバーの他端に開放ローラを設ければ、収納ラックの降下動作のみらなず、扉体の開放が円滑にできる。
【００１３】
そして、昇降支持装置を略Ｓの字形アームと略くの字形アームにより構成すれば、収納ラックの降下時に両アームが収納キャビネットの底板に干渉することも、両アーム同士が干渉することもなく、その結果、両アームの回動角度が大きくとれ、収納ラックの昇降ストロークを大きくすることができる。
【００１４】
【実施例】
以下、本発明の実施例について図面を用いて説明する。
【００１５】
（実施例１）
図１は本発明の実施例１の昇降式収納装置の収納ラック降下状態における側断面図、図２は同じく収納ラック格納状態における側断面図、図３は図１のＤ部の拡大図、図４は図１のＣ矢視図である。
【００１６】
図１から図４において、１１は厨房等の壁面上方に設置された収納キャビネットで、この収納キャビネット１１の庫内両側面には、前方に略Ｓの字形アーム１２と、後方に略くの字形アーム１３とが、同一面上に平板形状で構成されるとともに、この両アーム１２，１３を枢支する昇降支持装置１４が設置されている。
【００１７】
１５は昇降支持装置１４に配設されたアームストッパーで、略くの字形アーム１３の回動角度を規制するように構成される。１６は対向する略Ｓの字形アーム１２の基部間を連結する連動連結軸で、この連動連結軸１６により両略Ｓの字形アーム１２が同体回動するように構成される。
【００１８】
１７は常時は収納キャビネット１１に格納される収納ラックで、底面から背面を構成する本体１８と、両側板１９と、線材よりなる網棚２０等により構成される。
【００１９】
略Ｓの字形アーム１２および略くの字形アーム１３と、収納ラック１７とは、略中央で屈曲した略くの字形アーム１３を、収納ラック１７の両側板１９の最上段後方近傍に枢支することにより連結してリンク機構が構成してある。
【００２０】
２１は樹脂成型部材により薄肉軽量に構成された扉体で、ヒンジ２２を介して上方に回動自在に開放するように、収納キャビネット１１の前方に構成される。ヒンジ２２には扉体２１を常に閉塞側に押圧するように、反転機構や、ばね等を用いた押圧手段（図示せず）が構成される。
【００２１】
２３は扉体２１の開放手段で、収納ラック１７を構成する両側板１９の略くの字形アーム１３の枢支部近傍に支持され、収納ラック１７の降下動作に連動して扉体２１を押して開放するとともに、扉体２１に接離自在に当接して回転する開放ローラ２４と、この開放ローラ２４を枢支する開放レバー２５とで構成される。
【００２２】
２６は扉体２１の最下端に配設された拘束手段で、図１にＡ線で示す収納ラック１７の所定降下位置において、開放手段２３のローラ２４が扉体２１から離脱しないように拘束するもので、開放手段２３に対向した位置に構成される。
【００２３】
２７，２８はレバーストッパーで、収納ラック１７の格納状態から、図１のＢ線で示す最大降下位置までに回動する開放手段２３の回動角度を規制するように構成される。
【００２４】
２９は開放手段２３の枢支部に装着され、開放レバー２５に掛けられたねじりばね等からなる付勢手段で、Ｂ線で示す収納ラック１７の最大降下位置において、開放手段２３が開放した扉体２１を押圧する荷重が最大となるように、その付勢方向および付勢荷重が構成，設定される。
【００２５】
また、同じく収納ラック１７の最大降下位置において、開放手段２３および拘束手段２６の両手段が突っ張り合う状態を避けるために、略くの字形アーム１３とアームストッパー１５とを先に当接させて、収納ラック１７の降下が停止するように構成される。
【００２６】
３０は収納ラック１７の下部前方に設けられた閉塞パネルで、収納ラック１７の上昇格納時に扉体２１の下方が覆われるように構成される。３１は閉塞パネル３０の下方に取付けられた昇降操作用のハンドル、３２はハンドル３１とは別に扉体２１に配設された把手部で、閉塞パネル３０と空間を有して、閉塞パネル３０の前方に突出するように構成される。
【００２７】
上記構成において、収納ラック１７は、ハンドル３1を持って引下ろすと、両アーム１２，１３と昇降支持装置１４により、図１に一点鎖線で示す如く、円弧状に回動するとともに、扉体２１の内面を開放手段２３のローラ２４が回転しつつ扉体２１を開放し、Ａ線で示す収納ラック１７の所定降下位置において、開放手段２３のローラ２４が拘束手段２６に当接してそれ以上動かないように拘束された後、今度は開放手段２３のレバー２５がローラ２４部分を中心とに回動して、扉体２１と開放手段２３の当接範囲以上に、Ｂ線で示す最大降下位置まで降下し停止するものである。
【００２８】
その降下位置で収納物を出し入れした後、逆に上昇格納時には、再度ハンドル３１を持って収納ラック１７を押し上げると、降下時と逆の動作で開放手段２３のレバー２５が回動して、Ａ線位置で開放手段２３のローラ２４の拘束を解除後、扉体２１の内面を開放手段２３のローラ２４が回転しつつ閉塞し、最後は扉体の自重とヒンジ２２の押圧手段（図示せず）により、扉体２１の閉塞を確実に行うものである。
【００２９】
次に動作，作用について説明すると、昇降式収納装置は、収納キャビネット１１と、この収納キャビネット１１に設けた収納ラック１７と、収納ラック１７を昇降するアーム１２，１３を有する昇降支持装置１４と、収納キャビネット１１の前方に設けた扉体２１と、収納ラック１７の降下動作に連動して、扉体２１を上方に開放する開放手段２３と、収納ラック１７の所定降下位置において、開放手段２３を拘束する拘束手段２６とからなり、収納ラック１７の降下動作に連動して、開放手段２３が扉体２１を開放するため、収納ラック１７の降下作業を１回の動作で行うことができるとともに、所定降下位置において始めて開放手段２３を拘束するため、それまでの間、すなわち収納ラック１７の格納状態においては扉体２１と開放手段２３とは単に当接しているだけであるから、扉体２１は単独で開閉することができ、また開放手段２３の拘束後は、開放手段２３がそのローラ２４部分を中心として回動するため、扉体２１と開放手段２３の当接範囲以上の降下ストロークを得ることができる。
【００３０】
また、アームを、略Ｓの字形アームと略くの字形アームにより構成してあり、両アームが屈曲しているため、収納ラックの降下時に両アームが収納キャビネットの底板に干渉することも、両アーム同士が干渉することもなく、その結果、両アームの回動角度が大きくとれ、収納ラックの昇降ストロークを大きくすることができるので、降下ストロークが大きくなり、収納ラックへの出し入れの作業性を向上することができる。
【００３１】
また、略くの字形アーム１３を、略中央で屈曲するとともに、略くの字形アーム１３と収納ラック１７の連結部を、収納ラック１７を構成する側板１９の最上段後方近傍に位置させることにより、両アーム１２，１３が大きな円弧の回動を描くため、昇降ストロークを大きくすることができるとともに、収納ラック１７が収納キャビネット１１の前方に大きく張り出して回動するため、図５の従来例に示す収納ラック後方下部のコーナー逃がし部が不要となり、収納ラック１７の底面すべてに平面的な収納面積を確保することができる。
【００３２】
また、扉体２１は、樹脂成型部材で薄肉軽量としてあり、収納ラック１７の昇降時に開放手段２３に掛かる扉体２１の重量を軽くできるため、収納ラック１７の昇降操作力を軽減することができる。
【００３３】
また、開放手段２３の回動角度をレバーストッパー２７，２８により規制してあり、開放手段２３の回動を所定角度内に制限するため、略Ｓの字形と略くの字形の両アーム１２，１３の回動に干渉することを防止することができる。
【００３４】
また、開放手段２３に、収納ラック１７の最大降下位置において、開放した扉体２１を押圧する荷重が最大となる付勢手段２９を備えてあり、開放手段２３を拘束する収納ラック１７の所定降下位置から、徐々に扉体２１を押圧する荷重が増加するため、扉体２１の自重に勝り、収納ラック１７の降下途中で開放手段２３が扉体２１の拘束手段２６から外れる方向へ回動することを防止することができる。
【００３５】
また、拘束手段２６を、開放する扉体２１の最下端に備えてあり、略Ｓの字形と略くの字形の両アーム１２，１３の回動とともに、開放手段２３が直立状態近くに回動するまで収納ラック１７を降下できるため、降下ストロークを大きくすることができる。
【００３６】
また、昇降支持装置１４に、略くの字形アーム１３の回動角度を規制するアームストッパー１５を備え、収納ラック１７の最大降下位置において、開放および拘束の両手段２３，２６よりも、略くの字形アーム１３とアームストッパー１５とが先に当接するようにしてあり、収納物の荷重をアームストッパー１５で受けることができるため、開放手段２３および拘束手段２６に無理な荷重が掛かることを防止することができる。
【００３７】
また、収納キャビネット１１と扉体２１に、扉体２１を常に閉塞側に押圧する押圧手段（図示せず）を備えてあり、収納ラック１７の降下動作時とは逆に、収納ラック１７を上昇格納していけば、開放手段２３が回動および回転していって扉体２１を閉塞することができるため、収納ラック１７の上昇格納作業をも１回の動作で行うことができる。
【００３８】
また、収納ラック１７の下部前方に、収納キャビネット１１を覆う閉塞パネル３０を備え、この閉塞パネル３０の下方にハンドル３１を設けるとともに、扉体２１にも把手部３２を備えてあり、収納ラック１７の格納状態において、単独で開閉することができる扉体２１を容易に開けることができるため、一々収納ラック１７の降下作業を行うことなく、収納ラック１７内の収納物の確認を容易に行うことができる。
【００３９】
さらに、扉体２１の把手部３２を、閉塞パネル３０と空間を有して、閉塞パネル３０の前方に突出してあり、把手部３２が掴みやすく、しかも下方に突出しているため、さらに容易に扉体２１を開けることができる。
【００４０】
以上説明したように実施例に係る昇降式収納装置の特長をまとめれば以下の通りである。
【００４１】
（１）開放手段が扉体を開放するため、収納ラックの降下作業を１回の動作で行うことができるとともに、収納ラックの格納状態において、扉体は単独で開閉することができ、また開放手段の拘束後は、開放手段が回動するため、扉体と開放手段の当接範囲以上の降下ストロークを得ることができる。
【００４２】
（２）両アームが屈曲しているため、収納ラックの降下時に両アームが収納キャビネットの底板に干渉することも、両アーム同士が干渉することもなく、その結果、両アームの回動角度が大きくとれ、収納ラックの昇降ストロークを大きくすることができるので、降下ストロークが大きくなり、収納ラックへの出し入れの作業性を向上することができるという効果がある。また、両アームが大きな円弧の回動を描くため、昇降ストロークを大きくすることができるとともに、収納ラックが収納キャビネットの前方に大きく張り出して回動するため、収納ラックの後方下部のコーナー逃がし部が不要となり、収納ラックの底面すべてに平面的な収納面積を確保することができる。
【００４３】
（３）収納ラックの昇降時に開放手段に掛かる扉体の重量を軽くできるため、収納ラックの昇降操作力を軽減することができる。
【００４４】
（４）開放手段の回動角度をレバーストッパーにより規制するため、略Ｓの字形と略くの字形の両アームの回動に干渉することを防止することができる。
【００４５】
（５）開放手段を拘束する収納ラックの所定降下位置から、徐々に扉体を押圧する荷重が増加するため、扉体の自重に勝り、収納ラックの降下途中で開放手段が扉体の拘束手段から外れる方向へ回動することを防止することができる。
【００４６】
（６）略Ｓの字形と略くの字形の両アームの回動とともに、開放手段が直立状態近くに回動するまで収納ラックを降下できるため、降下ストロークを大きくすることができる。
【００４７】
（７）収納物の荷重をアームストッパーで受けることができるため、開放手段および拘束手段に無理な荷重が掛かることを防止することができる。
【００４８】
（８）収納ラックの上昇格納に連動して扉体を閉塞することができるため、収納ラックの上昇格納作業をも１回の動作で行うことができる。
【００４９】
（９）収納ラックの格納状態において、単独で開閉することができる扉体を容易に開けることができるため、一々収納ラックの降下作業を行うことなく、収納ラック内の収納物の確認を容易に行うことができる。
【００５０】
（１０）把手部が掴みやすく、しかも下方に突出しているため、さらに容易に扉体を開けることができる。
【００５１】
【発明の効果】
このように本発明の昇降式収納装置によれば、操作が合理的に行え、その使い勝手を大いに高めることができるものである。
【図面の簡単な説明】
【図１】  本発明の実施例１の昇降式収納装置の収納ラック降下状態における側断面図
【図２】  同収納ラック格納状態における側断面図
【図３】  図１のＤ部の拡大図
【図４】  図１のＣ矢視図
【図５】  従来の昇降式収納装置における側断面図
【図６】  同昇降式収納装置における外観斜視図
【符号の説明】
１１  収納キャビネット
１２  略Ｓの字形アーム
１３  略くの字形アーム
１４  昇降支持装置
１５  アームストッパー
１７  収納ラック
２１  扉体
２３  開放手段
２６  拘束手段
２７，２８  レバーストッパー
２９  付勢手段
３０  閉塞パネル
３１  ハンドル
３２  把手部
【図１】
0004124538.tif 000002
【図２】
0004124538.tif 000003
【図３】
0004124538.tif 000004
【図４】
0004124538.tif 000005
【図５】
0004124538.tif 000006
【図６】
0004124538.tif 000007